(57)【要約】      （修正有）【課題】押し込み動作を同時且つ連続的に行うことのできる効果を有し、圧接効率を向上させるとともに、操作が便利で且つ位置決めを確実に行える効果を備える、パンチダウン工具を提供する。【解決手段】パンチダウン工具は、ケーシング１０と、連動機構２０と、１以上のブレード３０とを含む。ケーシングの内部に中空溝１１が設けられ、連動機構は、回転軸２１と１以上の回転体２２とを有する。これらの回転体が回転軸を介してケーシングの上部に軸支され、回転軸の一端が接続部を形成するようにケーシングから延出し、さらに、これらの回転体の側面に２本の軌道２２１及び２つの突起２２２が設けられ、回転体ごとの２つの突起が隣接の回転体の２本の軌道に導入されるようになっている。ブレードは、中空溝に設けられるとともにこれらの回転体に対応して配置され、且つこれらの回転体に連動され、これらのブレードの底端に圧接部３１が設けられる。【選択図】図２
0003180500.tif 000002
【実用新案登録請求の範囲】
【請求項１】
内部に中空溝が設けられたケーシングと、
回転軸と１以上の回転体とを有し、前記回転体が前記回転軸を介して前記ケーシングの上部に軸支され、前記回転軸の一端が接続部を形成するように前記ケーシングから延出し、前記回転体の側面に２本の軌道及び２つの突起が設けられ、回転体ごとの２つの突起が隣接する回転体の２本の軌道に導入されるようになっている連動機構と、
前記中空溝に設けられるとともに前記回転体に対応して配置され、且つ前記回転体に連動され、底端に圧接部が設けられた１以上のブレードと、を含むパンチダウン工具。
【請求項２】
前記回転体において、１つの回転体の２本の軌道が上下対称的に設けられ、隣接する回転体の２本の軌道が傾斜するように対称的に設けられることによって、１つの回転体をある角度回転させた後、隣接の回転体を連動的に回転させることを特徴とする、請求項１に記載のパンチダウン工具。
【請求項３】
前記連動機構は、１以上の位置決め輪をさらに設けており、前記位置決め輪が前記回転軸に貫通されるとともに前記回転体の間に間隔を隔てて設けられ、さらに、前記回転体の軌道または突起に対応して結合するように位置決め輪ごとの側面に対応する構造が配置されることを特徴とする、請求項１に記載のパンチダウン工具。
【請求項４】
前記ケーシングは、ケーシング台とカバーとを備え、前記カバーが前記ケーシング台と結合され、前記中空溝が前記ケーシングの内部に設けられ、前記ブレードは、本体と２本の支え脚とを備え、前記２本の支え脚が前記本体の両側の底端に接続され、前記２本の支え脚の底端に何れも圧接部が設けられることを特徴とする、請求項１に記載のパンチダウン工具。
【請求項５】
前記ケーシング台は、さらに、２つのフレームと２つの接続片とを備え、前記２つのフレームが前記カバーの両側の底端に設けられ、前記２つの接続片が前記２つのフレームの短側面にそれぞれ固着されることによって、前記ケーシング台がケース状になり、前記ブレードごとの２本の支え脚を導入するため、前記２つのフレームに前記中空溝がそれぞれ設けられることを特徴とする、請求項４に記載のパンチダウン工具。
【請求項６】
前記ブレードごとの両側にストッパ凸縁をそれぞれ設けており、フレームごとの対向する２つの長側面の上端に、前記ストッパ凸縁をそれぞれ摺動可能に導入するとともにその移動動作を阻止する効果に達するように、少なくとも一つのスロットがそれぞれ設けられることを特徴とする、請求項５に記載のパンチダウン工具。
【請求項７】
各回転体自体に少なくとも１つのカム構造が設けられ、且つ前記ブレードの上端に対応する構造が設けられ、さらに、前記ブレードの対応する構造を導入するため、回転体ごとの周縁に環状溝が設けられることを特徴とする、請求項１に記載のパンチダウン工具。
【請求項８】
前記圧接部の中央に凹溝が設けられ、前記圧接部の両側に圧接構造がそれぞれ設けられることを特徴とする、請求項１に記載のパンチダウン工具。
【請求項９】
前記圧接部の圧接構造の底端に刃部が設けられることを特徴とする、請求項８に記載のパンチダウン工具。
【請求項１０】
係止、位置決めを容易にし、圧接部を確実に作動するため、前記ケーシングの底部に係止構造がさらに設けられることを特徴とする、請求項８に記載のパンチダウン工具。
【考案の詳細な説明】
【技術分野】
【０００１】
本考案は、パンチダウン工具に係り、特に、一般の電子機器のフェイスプレートの取付作業において、該電子機器内部の通信用の心線をフェイスプレートの端子台に固定するために用いられる。
【背景技術】
【０００２】
従来の電子通信機器は、複数本の通信ケーブルを通せるように、長い通路を挟んで、フェイスプレートの内面の両側に複数の端子台がそれぞれ並べられる。また、該端子台に複数の差込溝が設けられ、差込溝ごとにフェイスプレートに電気的に接続した金属端子が配置されている。
通信ケーブルが１つの端子台と対応して配置され、また、それぞれの通信ケーブルに複数本の心線が包まれる。これらの心線が差込溝内の金属端子に電気的に接続するように端子台の複数の差込溝にそれぞれ配置されていることによって、通信機器の内部の心線、端子台内の金属端子を介してデータ信号をフェイスプレートまで伝送し、さらに、フェイスプレートの外部の対応する伝送ケーブルを介して伝送するようになっている。
【０００３】
従来の電子通信機器は、該端子台の差込溝の数が多いため、押し込み作業を行うときに、金属端子の一端で心線の絶縁被覆を刺し込んで電気的に接続するように、パンチダウン工具により差込溝内に心線を１本ずつ圧接する必要がある。しかし、一般にフェイスプレートには複数の端子台があり、且つ、端子台の数が多いほどかかる作業時間が長くなるため、工数がかかるだけでなく、コストも増え易くなる。
【０００４】
さらに、端子台の差込溝の開口が小さいため、差込溝内に心線を精確に圧接し難く、重複して押し込んでしまうことがあり、押し込み作業が非効率である。また、押し込むときに加える力の不具合によって金属端子の他端の構造（すなわち、接続ピン）の損壊に間接的につながることもある。
【０００５】
押し込み動作を同時且つ連続的に行うことができる効果を有するパンチダウン工具を提供することにより、押し込み効率を向上させ、さらに、操作が便利で且つ位置決めを確実に行えるよう期することが、本考案を創作しようとする動機である。
【考案の概要】
【０００６】
本考案は、押し込み動作を同時且つ連続的に行うことのできる効果を有するパンチダウン工具を提供することを主な目的とする。
【０００７】
本考案は、余分の心線を同時に取り除いて、さらに操作が便利で且つ位置決めを確実に行える効果を備えるパンチダウン工具を提供することを次の目的とする。
【課題を解決するための手段】
【０００８】
前記目的を達成するため、本考案のパンチダウン工具は、内部に中空溝が設けられたケーシングと、回転軸と１以上の回転体とを有し、これらの回転体が前記回転軸を介して前記ケーシングの上部に軸支され、前記回転軸の一端が接続部を形成するように前記ケーシングから延出し、さらに、これらの回転体の側面に２本の軌道及び２つの突起が設けられ、回転体ごとの２つの突起が隣接の回転体の２本の軌道に導入されるようになっている連動機構と、前記中空溝に設けられるとともにこれらの回転体に対応して配置され、且つこれらの回転体に連動され、底端に圧接部が設けられた１以上のブレードとを含む。
よって、押し込み動作を同時且つ連続的に行うことのできる効果を有し、圧接効率を向上させるとともに、操作が便利で且つ位置決めを確実に行える効果を備える。
【０００９】
本考案の特徴、特点及び技術内容をさらに深く理解するため、以下の本考案に係る詳細説明及び添付図面を参照する。前記添付図面は参考や説明のみ提供され、本考案を限定するものではない。
【図面の簡単な説明】
【００１０】
【図１】本考案に係るパンチダウン工具を示す斜視図である。
【図２】図１の分解図である。
【図２Ａ】図２におけるケーシング台の分解図である。
【図３】図１のパンチダウン工具をフェイスプレートと組み合わせて実施する左側面図である。
【図４】図３のＡ−Ａ線に沿った断面図である。
【図５】図２におけるブレードを示す図及び該ブレードの圧接部の一部拡大図である。
【図６】図１のパンチダウン工具に係止構造が加えられるとともにフェイスプレートと組み合わせて実施する図である。
【図７】図６のパンチダウン工具とフェイスプレートの端子台とが係止された後の断面図である。
【考案を実施するための形態】
【００１１】
図１〜図４に示すように、パンチダウン工具は、ケーシング１０と、連動機構２０と、１以上のブレード３０とを含む。
【００１２】
ケーシング１０の内部に中空溝１１が設けられる。連動機構２０は、回転軸２１と１以上の回転体２２とを備え、これらの回転体２２が回転軸２１を介してケーシング１０の上部に軸支され、回転軸２１の一端が接続部２１１を形成するようにケーシング１０から延出する。
また、これらの回転体２２の側面に２本の軌道２２１及び２つの突起２２２が設けられ、回転体２２ごとの２つの突起２２２が隣接の回転体２２の２本の軌道２２１に導入されるようになっている。これらのブレード３０が中空溝１１内に設けられるとともにこれらの回転体２２に対応して配置され、且つこれらの回転体２２に連動され、また、これらのブレード３０の底端に圧接部３１が設けられる。
【００１３】
実施例では、これらの回転体２２において、１つの回転体２２の２本の軌道２２１が上下対称的に設けられ、隣接の回転体２２の２本の軌道２２１が傾斜するように対称的に設けられる。よって、１つの回転体をある角度回転させた後（図４を参照）、隣接の回転体を連動的に回転させ、各回転体間の押し込み動作及び走行距離を自由的かつ容易に調整できる。
【００１４】
また、フェイスプレート８０（図６を参照）において、同側の複数の端子台８１は、間隔を空けて設けられるため、隙間Ｇが生じる。ブレード３０ごとをこれらの端子台８１、８１’のそれぞれの差込溝８２に対応させるため、本考案の連動機構２０は、１以上の位置決め輪２３を設ける（図３を参照）。これらの位置決め輪２３が、各端子台の間の隙間Ｇに対応するように回転軸２１に貫通され、これらの回転体２２に間隔を隔てて設けられることにより、各ブレードは、効率的且つ確実に押し込みを行うことができる。
また、回転体２２の軌道２２１または突起２２２に対応して結合するように、位置決め輪２３ごとの側面に対応する構造２３１が配置されている（図２を参照）。よって、それぞれの位置決め輪が隣接する回転体に従って同時に回転できる。
【００１５】
ケーシング１０は、ケーシング台１２とカバー１３とを備え、カバー１３がケーシング台１２と結合され、中空溝１１がケーシング１０の内部に設けられる。また、ブレード３０は、本体３０１と、２本の支え脚３０２、３０３とを備え、２本の支え脚３０２、３０３が本体３０１の両側の底端に接続され、２本の支え脚の底端に何れも圧接部３１が設けられる。よって、ブレード３０は、押し込み動作を同時に行うように、フェイスプレート８０の両側の端子台８１、８１’に跨架され（図４を参照）、便利なだけでなく作業時間も短縮される。
さらに、２本の支え脚３０２、３０３の間のスペースがこれらのフェイスプレート８０の間の長い通路に対応するため、複数の通信ケーブル９０が通るように自由に調整することもできる。
【００１６】
図２及び図２Ａに示すように、ケーシング台１２は、さらに、２つのフレーム１４Ａ、１４Ｂと２つの接続片１５Ａ、１５Ｂとを備え、２つのフレーム１４Ａ、１４Ｂがカバーの両側の底端に設けられ、２つの接続片１５Ａ、１５Ｂが２つのフレーム１４Ａ、１４Ｂの短側面にそれぞれ固着されることによって、ケーシング台１２がケース状になる。また、ブレード３０ごとの２本の支え脚３０２、３０３を導入するため、２つのフレーム１４Ａ、１４Ｂに中空溝１１がそれぞれ設けられる（図４を参照）。
【００１７】
本考案のパンチダウン工具の実施態様は、図３に示すように（図面では、図１のサイドフレーム１４Ａを取り外すとともにカバー１３を断面透視させることで、連動機構２０とブレード３０との作動を見やすく表示できる）、駆動手段４０と接続部２１１とを接続することにより回転軸２１を回転駆動させる。ここで、駆動手段４０は、手動工具（例えば、箱形レンチ）及び自動化機器（例えば、電動モータ）のうち一つである。また、各回転体２２自体に少なくとも１つのカム構造２２３が設けられ、且つ、ブレード３０の上端に対応する構造３２が設けられる。
実施例では、図４に示すように、回転体２２の対向する両側にカム構造２２３が１つずつ設けられているが、対向する両側に設けられることに限定されない。１つの回転体２２が回転すると、カム構造２２３がブレード３０の対応する構造３２を押し付けて、ブレード３０の２本の支え脚３０２、３０３を下へ移動させ、圧接部３１の差込溝３１１を心線９１に当接するとともに、差込溝３１１の両側の圧接構造３１２、３１３と協働して、フェイスプレート８０の両側の端子台８１、８１’上の心線９１を対応する差込溝内にそれぞれ圧接する。
【００１８】
次に、回転軸２１が回転を継続しながら、図３に示すように、隣接の回転体２２を継続的に回転させるとともに直前の回転体２２と同じような動作を行わせ、ブレード３０によりその下の心線９１を差込溝内に圧接する。
さらに、後続の複数の回転体２２が順次に回転し、複数のブレード３０を一つずつ作動させ、回転体が回転し続け、複数のブレード３０が押し込み動作を重複して行って心線を差込溝内に確実に圧接する。連動機構２０のこれらの回転体２２がいずれも回転した後は、これらの回転体２２が元の状態に戻るまで回転軸２１を逆回転させてから、その他の端子台及び心線に対し押し込み作業を行う。
【００１９】
また、本考案は、ブレード３０の対応する構造３２を導入し、ブレード３０が回転する回転体２２に沿って安定的に作動できるように、回転体２２の周縁に環状溝２２４が設けられる。
【００２０】
図４及び図５に示すように、圧接部３１の中央に凹溝３１１が設けられ、圧接部３１の両側に圧接構造３１２、３１３がそれぞれ設けられる。圧接構造３１２、３１３は柱体で且つ底端が鈍い形にした面であるため、心線９１と溝内の金属端子とが互いに締り嵌めされ、圧接部３１と端子台の差込溝とが密嵌し易くなる。本考案の圧接部は、支え脚と一体に形成しても良いし、また着脱可能に設けても良い。
【００２１】
さらに、ブレード３０には、本体３０１の両側にストッパ凸縁３０４、３０５をそれぞれ設ける。フレーム１４Ａ、１４Ｂの対向する２つの長側面の上端に、２つのストッパ凸縁３０４、３０５をそれぞれ摺動可能に導入するとともにその移動動作を制限することで、ブレード３０を直線運動する経路領域内に保持し、安定に繰り返し摺動するように、少なくとも一つのスロット１４１、１４２がそれぞれ設けられる。
【００２２】
図５に示すように、圧接部３１の圧接構造３１２の底端に刃部３１４が設けられる。よって、押し込み作業中において、図７に示すように、刃部３１４は、端子台８１、８１’の外に突出した心線９１の余分な一部を同時に切り除くことにより、加工、整理時間を短縮できる。
【００２３】
図６及び図７に示すように、位置決めを容易にするため、ケーシング１０の底部に係止構造１６がさらに設けられる。実施例では、本考案のパンチダウン工具とフェイスプレートとが互いに係止されるように、係止構造１６がケーシング１０の２つのフレーム１４Ａ、１４Ｂの長側面の底端に取り付けられる。また、圧接部３１を差込溝８２に位置合わせて、確実に押し込む効果が達成できるように、係止構造１６が各端子台８１、８１’の間の隙間Ｇに係止されても良い。
【００２４】
よって、本考案は、ケーシングと連動機構と１以上のブレードとの組立設計により、押し込み動作を同時且つ連続的に行うことのできる効果を有することで、複数本の心線を異なる端子台の差込溝にそれぞれ同時に押し込むことができ、圧接効率を向上させるとともに、操作が便利で且つ位置決めを確実に行える効果を備える。
【００２５】
以上は、単に本考案の好ましい具体的な実施例に過ぎず、本考案の実用新案登録請求の範囲を限定するものではない。よって、当該分野における通常の知識を有する専門家は、本考案の分野の中で、適当に変更や修飾などを実施できるが、それらの実施が本考案の主張範囲内に納入されるべきことは言うまでもない。
【符号の説明】
【００２６】
１０  ケーシング
１１  中空溝
１２  ケーシング台
１３  カバー
１４Ａ、１４Ｂ  フレーム
１５Ａ、１５Ｂ  接続片
１６  係止構造
２０  連動機構
２１  回転軸
２２  回転体
２３  位置決め輪
３０  ブレード
３１  圧接部
３２  対応する構造
４０  駆動手段
８０  フェイスプレート
８１、８１’  端子台
８２  差込溝
９０  通信ケーブル
９１  心線
１４１、１４２  スロット
２１１  接続部
２２１  軌道
２２２  突起
２２３  カム構造
２２４  環状溝
２３１  対応する構造
３０１  本体
３０２、３０３  支え脚
３０４、３０５  ストッパ凸縁
３１１  差込溝
３１２、３１３  圧接構造
３１４  刃部
Ｇ  隙間
【図１】
0003180500.tif 000003
【図２】
0003180500.tif 000004
【図２Ａ】
0003180500.tif 000005
【図３】
0003180500.tif 000006
【図４】
0003180500.tif 000007
【図５】
0003180500.tif 000008
【図６】
0003180500.tif 000009
【図７】
0003180500.tif 000010